(57)【特許請求の範囲】
【請求項１】
ノズルから光硬化性の液体を吐出する吐出ヘッドと、
第１吸引口と、前記第１吸引口よりも前記ノズルから遠い第２吸引口と、排出口とが形成され、前記第１吸引口および前記第２吸引口から吸引された空気によって冷却される冷却部を備える吸引容器と、
前記排出口から前記吸引容器の外部へと空気を吸引する吸引装置と、
前記液体を硬化させる光を照射し、当該光の照射により生じた熱が前記冷却部へと移動する位置に配置された照射部と、
前記第２吸引口における空気の吸引量を調整する調整部と、
を備える液体吐出装置。
【請求項２】
前記調整部は、前記ノズルから吐出された前記液体が被記録媒体まで飛翔する飛翔距離が第１距離よりも長い第２距離である場合に、前記飛翔距離が前記第１距離である場合よりも前記第２吸引口から吸引される空気の吸引量を大きくする、
請求項１に記載の液体吐出装置。
【請求項３】
前記調整部は、前記照射部における光の照射強度が第１強度よりも強い第２強度である場合に、前記照射強度が前記第１強度である場合よりも前記第２吸引口から吸引される空気の吸引量を大きくする、
請求項１または請求項２に記載の液体吐出装置。
【請求項４】
前記調整部は、前記第２吸引口の開口面積を変化させることにより、前記第２吸引口から吸引される空気の吸引量を調整する、
請求項１から請求項３のいずれか一項に記載の液体吐出装置。
【発明の詳細な説明】
【技術分野】
【０００１】
本発明は、ノズルから液体を吐出することにより生じる液体のミストを捕集する液体吐出装置に関する。
【背景技術】
【０００２】
ノズルから光硬化性のインク滴を吐出することにより生じるインクのミストを吸引する技術が知られている（特許文献１、参照。）。特許文献１において、インクのミストを吸引する風を放熱フィンに当てることにより、インクを硬化させる光を照射する照射部を冷却する。特許文献１によれば、インクのミストを吸引のための吸引ファンと、照射部の冷却のための吸引ファンとを共通化できる。
【先行技術文献】
【特許文献】
【０００３】
【特許文献１】特開２００９−１７２９３７号公報
【発明の概要】
【発明が解決しようとする課題】
【０００４】
しかしながら、特許文献１では、ノズルから吐出されたインク滴の飛翔軌跡に影響が出ない程度に吸引ファンの吸引力を抑制しなければならず、照射部の冷却効果が不十分となるという問題があった。
本発明の目的は、前記課題にかんがみてなされたもので、液体の飛翔軌跡への影響を抑制しつつ、照射部の冷却効果を高める技術の提供を目的とする。
【課題を解決するための手段】
【０００５】
前記課題を解決するために本発明の液体吐出装置は吐出ヘッドを備え、当該吐出ヘッドのノズルから光硬化性の液体を吐出することにより生じる液体のミストを捕集する。吸引容器には、第１吸引口と第２吸引口と排出口とが形成される。第２吸引口は、第１吸引口よりもノズルから遠い。吸引容器には冷却部が備えられ、当該冷却部は第１吸引口および第２吸引口から吸引容器の内部に吸引された空気によって冷却される。吸引装置は、吸引容器の内部へと空気を吸引する吸引力を生じさせる。照射部は、液体を硬化させる光を照射する。照射部は、光の照射により生じた熱が冷却部へと移動する位置に配置される。
【０００６】
前記の構成において、吸引容器に第１吸引口と第２吸引口とが形成される。従って、第２吸引口における空気の吸引量を大きくすれば、ノズルに近い第１吸引口における空気の吸引量を大きくすることなく、冷却部を冷却する空気の総量を大きくすることができる。すなわち、第２吸引口からも空気の吸引することにより、第１吸引口における空気の吸引量を大きくすることなく、照射部の冷却効果を高めることができる。すなわち、ノズルから吐出される液体の飛翔軌跡への影響を抑制しつつ、照射部の冷却効果を高めることができる。
【０００７】
さらに、第２吸引口から吸引容器の内部に吸引される空気の吸引量を調整する調整部を備えさせてもよい。第２吸引口における空気の吸引量を調整することにより、照射部の冷却能力を調整できる。また、第２吸引口における空気の吸引量を調整することにより、照射部の冷却能力を維持しつつ、第１吸引口における空気の吸引量を相対的に調整できる。
【０００８】
ここで、ノズルから被記録媒体までの飛翔距離が長いほど、液体の飛翔軌跡が第１吸引口における空気の吸引による影響を受けやすくなる。従って、調整部は、ノズルから被記録媒体までの飛翔距離が第１距離よりも長い第２距離である場合に、飛翔距離が第１距離である場合よりも第２吸引口から吸引される空気の吸引量を大きくしてもよい。これにより、飛翔距離が長くなる場合に第１吸引口における空気の吸引量を相対的に少なくでき、液体の飛翔軌跡を正常に保つことができる。
【０００９】
また、調整部は、照射部における光の照射強度が第１強度よりも強い第２強度である場合に、照射強度が第１強度である場合よりも第２吸引口から吸引される空気の吸引量を大きくしてもよい。照射部における光の照射強度が強い場合、照射部の発熱量が大きくなるため、冷却部を冷却する空気の総量を増加させる必要がある。このような場合に、第２吸引口における空気の吸引量を大きくすれば、第１吸引口における空気の吸引量を大きくすることなく、照射部の冷却効果を高めることができる。従って、ノズルから吐出される液体の飛翔軌跡への影響を抑制しつつ、照射部の冷却効果を高めることができる。
【００１０】
さらに、調整部は、第２吸引口の開口面積を変化させることにより、第２吸引口から吸引される空気の吸引量を調整してもよい。これにより、簡易な構成によって、第２吸引口から吸引される空気の吸引量を調整できる。
【００１１】
さらに、第２吸引口における空気の吸引方向は、第１吸引口における空気の吸引方向の反対方向としてもよい。第１吸引口における空気の吸引方向は、ノズルにて生じたミストが吸引できるように、ノズルに対して近い位置から遠い位置へ向かう方向となる。従って、第２吸引口における吸引方向を第１吸引口における吸引方向の反対方向とすることにより、第２吸引口における吸引方向をノズルから遠い位置から近い位置へと向かう方向とすることができる。ノズルから遠い空気ほど、ノズルから吐出された液体の光硬化による反応熱等によって加熱され難い。従って、第２吸引口における吸引方向をノズルから遠い位置から近い位置へと向かう方向とすることにより、第２吸引口から冷たい空気を吸引することができ、照射部の冷却効果を高めることができる。
【００１２】
さらに、本発明のように、ミストを捕集する手法は、方法としても適用可能である。また、以上のような装置、方法は、単独の装置として実現される場合もあれば、複合的な機能を有する装置に組み込まれてもよい。
【図面の簡単な説明】
【００１３】
【図１】プリンターのブロック図である。
【図２】制御基板のブロック図である。
【図３】（３Ａ），（３Ｂ）は吸引容器の断面図、（３Ｃ）は吸引部の断面図、（３Ｄ）は本体部の断面図である。
【図４】（４Ａ），（４Ｂ）は実効的な開口面積を示すグラフである。
【発明を実施するための形態】
【００１４】
ここでは、下記の順序に従って本発明の実施の形態について説明する。
（１）プリンターの構成：
（２）変形例：
【００１５】
（１）プリンターの構成：
図１は本発明の一実施形態にかかる液体吐出装置としてのプリンター１の構成を示すブロック図である。プリンター１は、供給部１０と印刷部１１と回収部１２と吐出ヘッド１３と制御基板１４とを備える。供給部１０は、供給リール１０ａと張力調整部１０ｂとを備える。供給リール１０ａの巻き芯にロール紙Ｍが巻き付けられており、供給リール１０ａが巻き芯の中心軸まわりに回転することによりロール紙Ｍを繰り出す。張力調整部１０ｂは、供給リール１０ａと印刷部１１との間においてロール紙Ｍに所定の張力を作用させるように付勢されたローラーを備える。
【００１６】
印刷部１１は、ドラム１１ａと導入ローラー１１ｂと導出ローラー１１ｃとを備える。ドラム１１ａは、円柱状または楕円柱状に形成されており、中心軸Ｘまわりに回転する。導入ローラー１１ｂは、供給部１０から供給されたロール紙Ｍを、ドラム１１ａに対して側面の接線方向に導入するローラーである。導出ローラー１１ｃは、ドラム１１ａの側面上に保持されたロール紙Ｍを、ドラム１１ａの側面の接線方向に導出するローラーである。ドラム１１ａが紙面反時計回りに回転することにより、ロール紙Ｍをドラム１１ａの側面上に保持するとともに、ロール紙Ｍを供給部１０から回収部１２へと搬送することができる。
【００１７】
回収部１２は、回収リール１２ａと張力調整部１２ｂとを備える。回収リール１２ａの巻き芯にロール紙Ｍが巻き付けられており、回収リール１２ａが巻き芯の中心軸まわりに回転することによりロール紙Ｍを巻き取る。張力調整部１２ｂは、回収リール１２ａと印刷部１１との間においてロール紙Ｍに所定の張力を作用させるように付勢されたローラーを備える。
【００１８】
吐出ヘッド１３は液体としてのインクの種類ごとに備えられており、本実施形態ではＣ（シアン）Ｍ（マゼンタ）Ｙ（イエロー）Ｋ（ブラック）のそれぞれについて吐出ヘッド１３が備えられている。吐出ヘッド１３のそれぞれは、互いに同様の構成を有し、ドラム１１ａの中心軸Ｘに関して回転対称となるように備えられている。吐出ヘッド１３は、それぞれドラム１１ａの側面上に保持されたロール紙Ｍに対向するノズル面１３ａを備えており、当該ノズル面１３ａの面内において複数のノズルが配列している。複数のノズルからドラム１１ａの側面上に保持されたロール紙Ｍに向かってインクが吐出される。４個の吐出ヘッド１３のそれぞれにおけるインクの吐出方向はドラム１１ａの中心軸Ｘに向かう方向である。
【００１９】
制御基板１４は、供給部１０、印刷部１１、回収部１２、吐出ヘッド１３等の動作を制御するための各種回路が実装された基板である。
【００２０】
図２は、制御基板１４のブロック図である。制御基板１４は、制御部Ｃと吐出ヘッド制御回路１４ａとギャップ調整回路１４ｂと照射制御回路１４ｃと吸引量制御回路１４ｄとを含む。制御部Ｃは、制御プログラムＰを実行するためのハードウェア資源（ＣＰＵ，ＲＡＭ，ＲＯＭ等）を備える。
【００２１】
吐出ヘッド制御回路１４ａは、吐出ヘッド１３にてインク滴を吐出させるための回路である。具体的に、吐出ヘッド制御回路１４ａは、吐出ヘッド１３のノズルごとに備えられたピエゾ素子に対して駆動電圧を印加するか否かを指定する吐出データを生成する回路と、当該駆動電圧を生成する回路とを含む。ピエゾ素子に駆動電圧を印加するとピエゾ素子が変形して、ノズルが連通するインク室内のインクの圧力が変化する。そして、インクの圧力の変化に応じてノズルからインクが吐出される。
【００２２】
ギャップ調整回路１４ｂは、吐出ヘッド１３のノズル面１３ａとロール紙Ｍとの間の距離（ペーパーギャップＰＧ）を調整するための回路である。このペーパーギャップＰＧは、ノズル面１３ａ上のノズルから吐出されたインク滴がロール紙Ｍに着弾するまでに飛翔する飛翔距離に相当する。ギャップ調整回路１４ｂは、例えばユーザーの設定やロール紙Ｍの種類やペーパーギャップＰＧの計測結果等に応じて、吐出ヘッド１３をドラム１１ａの径方向に移動させることにより、ペーパーギャップＰＧを調整する。
【００２３】
照射制御回路１４ｃは、照射部Ｈにて紫外光を照射させるための回路である。本実施形態において、照射部Ｈは照射基板上に実装されたＬＥＤ（Light Emitting Diode）であり、照射制御回路１４ｃは当該ＬＥＤの駆動電流を生成する。また、照射制御回路１４ｃは、吐出ヘッド１３から吐出されるインク滴の数が多いほど、すなわち減法混色によってロール紙Ｍ上に形成される印刷画像が暗いほど、照射部Ｈにおける紫外光の照射強度Ｉを大きくする。
【００２４】
吸引量制御回路１４ｄは、吸引容器２２（図１）内に吸引される空気の吸引量を調整する回路である。具体的に吸引量制御回路１４ｄは、吸引容器２２に備えられたアクチュエーターＴを駆動させるための駆動信号を生成する。図１に示すように、プリンター１は、インクのミストを捕集するための構成として、吸引容器２２と捕集容器２３と吸引ファン２４とを備える。吸引容器２２は、吐出ヘッド１３のそれぞれに対応して備えられており、それぞれ吐出ヘッド１３に対して隣接している。吸引容器２２は、吐出ヘッド１３の垂直壁面１３ｂ（ノズル面１３ａに直交する壁面）のそれぞれに対して紙面時計回り方向から隣接する。
【００２５】
吸引装置としての吸引ファン２４が駆動することにより捕集容器２３内の空気が吸引される。複数の吸引容器２２は、それぞれ排出口Ｏを備え、当該排出口Ｏにて導出部２２ｃが連通する。複数の吸引容器２２は、それぞれ導出部２２ｃを介して１個の捕集容器２３と連通しており、各吸引容器２２内の空気が捕集容器２３に集められる。捕集容器２３の内部には捕集壁２３ａ（破線）が形成されており、捕集容器２３の空気に含まれるインクのミストが捕集壁２３ａに衝突することにより、インクのミストを液滴化させる。捕集容器２３の鉛直方向下部には、貯留部２３ｂが備えられており、液滴化したインクが貯留部２３ｂへと流下し、当該貯留部２３ｂにて貯留される。例えば、貯留部２３ｂは捕集容器２３の本体から取り外すことができ、捕集容器２３から取り外すことにより貯留部２３ｂの交換や洗浄をすることができる。
【００２６】
図３Ａ，３Ｂは、吸引容器２２をドラム１１ａの中心軸Ｘの直交方向に切断した吸引容器２２の断面図である。吸引容器２２は、吸引部２２ａと本体部２２ｂと導出部２２ｃとを備える。吸引部２２ａの下端には第１吸引口２２ａ１が形成され、吸引部２２ａの上端にて吸引部２２ａと本体部２２ｂとが連通する。吸引部２２ａは、吐出ヘッド１３の垂直壁面１３ｂに隣接しており、第１吸引口２２ａ１は吐出ヘッド１３のノズル面１３ａから所定距離以内に形成されている。すなわち、吸引口２２ａ１とノズル面１３ａとの距離は、ノズル面１３ａ上のノズルからインク滴を吐出する際に生じるインクのミストが吸引可能な距離とされる。
【００２７】
図３Ｃは、吸引部２２ａのＺ−Ｚ線断面図である。なお、Ｚ−Ｚ線断面は、ノズル面１３ａに平行な断面である。吸引部２２ａは、ノズル面１３ａに平行な断面において矩形状をなし、内部に矩形状の空気の流路（横ハッチング）を形成する。吸引部２２ａは、垂直壁面１３ｂに沿った高さ方向に一様な形状を有しており、吸引部２２ａの流路の形状は上端から下端の第１吸引口２２ａ１に至るまで一様となっている。
【００２８】
図３Ｄは、本体部２２ｂのＷ−Ｗ線断面図である。なお、Ｗ−Ｗ線断面は、垂直壁面１３ｂに平行な断面である。本体部２２ｂは、内部に冷却部としてのヒートシンクＦを収容する。ヒートシンクＦは、本体部２２ｂの底面に密着する平面板状の底部と、当該底部に対して垂直上方に突出する平面板状の複数の翼部とを備える。ヒートシンクＦは、熱伝導性の良好な金属等で形成されており、底部の熱が複数の翼部へと移動する。複数の翼部は、互いに平行とされ、翼部同士の間の隙間（横ハッチング）が垂直壁面１３ｂに対して垂直方向に形成される。当該隙間が本体部２２ｂにおける空気の流路をなす。本体部２２ｂにおける翼部同士の間の隙間の断面積の合計よりも、吸引部２２ａにおける空気の流路の断面積（第１吸引口２２ａ１の開口面積）の方が小さい。
【００２９】
吸引容器２２も熱伝導性の良好な金属等で形成されており、本体部２２ｂの底面を挟んでヒートシンクＦの底部と対向する位置に照射基板が配置されている。従って、照射基板上の照射部Ｈが紫外光を照射することにより生じる熱を、本体部２２ｂの底面を介してヒートシンクＦに移動させることができる。
【００３０】
本体部２２ｂの上面には、上方に開口する第２吸引口２２ｂ１が形成されている。第１吸引口２２ａ１は、第２吸引口２２ｂ１よりもノズル面１３ａに近い。本体部２２ｂの上面上に平面板状のシャッターＶが備えられており、当該シャッターＶはアクチュエーターＴの駆動により本体部２２ｂの上面上を摺動する。シャッターＶは、本体部２２ｂの上面と平行な方向において第２吸引口２２ｂ１よりも大きく形成されており、図３ＡのようにシャッターＶが吐出ヘッド１３側に移動することにより、第２吸引口２２ｂ１が閉塞される。図３ＢのようにシャッターＶが吐出ヘッド１３から離れる側に移動することにより、第２吸引口２２ｂ１が開放される。従って、第２吸引口２２ｂ１の実効的な開口面積Ｓは、シャッターＶが吐出ヘッド１３から離れるほど大きくなる。
【００３１】
本体部２２ｂの上面における吐出ヘッド１３と反対側の端部において、本体部２２ｂと導出部２２ｃとが連通する。上述したように導出部２２ｃは、捕集容器２３と連通するとともに、捕集容器２３内の空気は吸引ファン２４が駆動することにより吸引される。従って、吸引ファン２４が駆動することにより、吸引容器２２内の空気が導出部２２ｃを介して外部に吸引され、吸引容器２２内の空気の圧力が低下する。すると、吸引容器２２内へと外部から空気が吸引される。図３Ｂに示すように、第２吸引口２２ｂ１が開放されるようにシャッターＶが移動している場合には、吸引容器２２は外部と第１吸引口２２ａ１および第２吸引口２２ｂ１を介して連通し、第１吸引口２２ａ１および第２吸引口２２ｂ１から内部へと空気が吸引される。一方、図３Ａに示すように、第２吸引口２２ｂ１が閉塞されるようにシャッターＶが移動している場合には、吸引容器２２は外部と第１吸引口２２ａ１を介して連通し、第１吸引口２２ａ１から内部へと空気が吸引される。なお、図３Ａ，３Ｂにおいて、空気が吸引される方向を太線矢印で示す。
【００３２】
吸引部２２ａにおける空気の吸引方向は、垂直壁面１３ｂに沿って下方から上方に向かう方向となる。すなわち、吸引部２２ａの第１吸引口２２ａ１における空気の吸引方向は、ノズル面１３ａに近い位置からノズル面１３ａに遠い位置に向かう方向となる。従って、ノズル面１３ａにて生じたインクのミストを含む空気を、第１吸引口２２ａ１を介して吸引容器２２の内部に吸引できる。一方、開放している場合の第２吸引口２２ｂ１における空気の吸引方向は、上方から下方に向かう方向となる。すなわち、第２吸引口２２ｂ１における空気の吸引方向は、ノズル面１３ａに遠い位置からノズル面１３ａに近い位置に向かう方向となる。従って、ノズル面１３ａ付近の空気よりも低温の空気を、第２吸引口２２ｂ１を介して吸引容器２２の内部に吸引できる。なお、ノズル面１３ａ付近の空気は、インクが紫外光により硬化する際の反応熱やノズル面１３ａ近傍に存在するピエゾ素子の熱等によって高温となる。第１吸引口２２ａ１および第２吸引口２２ｂ１を介して吸引容器２２の内部に吸引された空気は、本体部２２ｂにおけるヒートシンクＦの翼部の隙間を通過して、導出部２２ｃに至る。従って、翼部の隙間を通過する空気によりヒートシンクＦを冷却できる。照射部Ｈの熱はヒートシンクＦに移動するため、照射部Ｈを冷却できる。次に、制御部Ｃが実行する制御プログラムＰの構成について説明する。
【００３３】
制御プログラムＰは、印刷制御部Ｐ１と調整部Ｐ２とを含む。印刷制御部Ｐ１の機能により制御部Ｃは、印刷対象の画像データに対して各種処理（色変換、ハーフトーン等）を行って吐出ヘッド制御回路１４ａに出力する。これに応じて、吐出ヘッド制御回路１４ａは吐出ヘッド１３に出力可能な吐出データを生成する。また、印刷制御部Ｐ１の機能により制御部Ｃは、供給部１０や回収部１２等のロール紙Ｍの搬送系を制御する処理を実行する。さらに、印刷制御部Ｐ１の機能により制御部Ｃは、印刷対象の画像データに基づいて印刷画像の濃度（インク滴の吐出総数）を特定し、当該濃度が高いほど照射部Ｈの照射強度Ｉを大きくするように照射制御回路１４ｃに指令する。また、印刷制御部Ｐ１の機能により制御部Ｃは、ユーザー等により指定されたペーパーギャップＰＧに対応する位置に吐出ヘッド１３を移動させるようにギャップ調整回路１４ｂに指令する。
【００３４】
調整部Ｐ２は、第２吸引口２２ｂ１における空気の吸引量を調整する機能を制御部Ｃに実行させるモジュールである。具体的に調整部Ｐ２の機能により制御部Ｃは、第２吸引口２２ｂ１の実効的な開口面積Ｓを特定し、当該実効的な開口面積Ｓだけ第２吸引口２２ｂ１が開放する位置にシャッターＶを移動させるように吸引量制御回路１４ｄに指令する。なお、本実施形態において、吸引ファン２４が生じさせる吸引力は一定とされており、第２吸引口２２ｂ１の実効的な開口面積Ｓが大きいほど、第２吸引口２２ｂ１における空気の吸引量が大きくなる。
【００３５】
図４Ａは、ペーパーギャップＰＧと第２吸引口２２ｂ１の実効的な開口面積Ｓとの関係を示すグラフである。なお、図４Ａにおいて照射部Ｈにおける光の照射強度Ｉは一定であることとする。図４Ａに示すように調整部Ｐ２の機能により制御部Ｃは、ペーパーギャップＰＧが大きいほど第２吸引口２２ｂ１の実効的な開口面積Ｓを大きくする。従って、ペーパーギャップＰＧが第１距離ＰＧ１よりも長い第２距離ＰＧ２である場合に、ペーパーギャップＰＧが第１距離ＰＧ１である場合よりも第２吸引口２２ｂ１の実効的な開口面積Ｓが大きくなる。
【００３６】
図４Ｂは、照射部Ｈにおける光の照射強度Ｉと第２吸引口２２ｂ１の実効的な開口面積Ｓとの関係を示すグラフである。なお、図４ＢにおいてペーパーギャップＰＧは一定であることとする。図４Ｂに示すように調整部Ｐ２の機能により制御部Ｃは、照射強度Ｉが大きいほど第２吸引口２２ｂ１の実効的な開口面積Ｓを大きくしている。従って、照射部Ｈにおける光の照射強度Ｉが第１強度Ｉ１よりも強い第２強度Ｉ２である場合に、照射強度Ｉが第１強度Ｉ１である場合よりも第２吸引口２２ｂ１の実効的な開口面積Ｓが大きくなる。
【００３７】
前記の構成において、第２吸引口２２ｂ１における空気の吸引量を大きくすれば、ノズル面１３ａに近い第１吸引口２２ａ１における空気の吸引量を大きくすることなく、ヒートシンクＦを冷却する空気の総量を大きくすることができる。すなわち、第２吸引口２２ｂ１における空気の吸引量を大きくすることにより、ノズルから吐出されるインク滴の飛翔軌跡への影響を抑制しつつ、照射部Ｈの冷却効果を高めることができる。
【００３８】
また、調整部Ｐ２の機能により制御部Ｃは、ノズルからロール紙ＭまでのペーパーギャップＰＧが第１距離ＰＧ１よりも長い第２距離ＰＧ２である場合に、ペーパーギャップＰＧが第１距離ＰＧ１である場合よりも第２吸引口２２ｂ１から吸引される空気の吸引量を大きくする。これにより、インク滴の飛翔距離が長くなっても、第１吸引口２２ａ１における空気の吸引がインクの飛翔軌跡に影響することが防止できる。
【００３９】
また、調整部Ｐ２の機能により制御部Ｃは、照射部Ｈにおける光の照射強度Ｉが第１強度Ｉ１よりも強い第２強度Ｉ２である場合に、照射強度Ｉが第１強度Ｉ１である場合よりも第２吸引口２２ｂ１から吸引される空気の吸引量を大きくする。照射部Ｈにおける光の照射強度Ｉが強い場合、照射部Ｈの発熱量が大きくなるが、第２吸引口２２ｂ１における空気の吸引量を大きくすることにより、ノズルから吐出されるインクの飛翔軌跡への影響を抑制しつつ、照射部Ｈの冷却効果を高めることができる。
【００４０】
さらに、調整部Ｐ２の機能により制御部Ｃは、第２吸引口２２ｂ１の実効的な開口面積Ｓを変化させることにより、第２吸引口２２ｂ１から吸引される空気の吸引量を調整する。これにより、簡易な構成によって、第２吸引口２２ｂ１から吸引される空気の吸引量を調整できる。また、第２吸引口２２ｂ１における吸引方向は、ノズルから遠い位置から近い位置へと向かう方向とされる。ノズルに遠い空気ほど、ノズルから吐出されたインクの光硬化による反応熱等によって加熱され難いため、第２吸引口２２ｂ１から冷たい空気を吸引することができ、照射部Ｈの冷却効果を高めることができる。
【００４１】
（３）変形例：
前記実施形態では、第２吸引口２２ｂ１における空気の吸引量が調整されたが、第２吸引口２２ｂ１における空気の吸引量が一定であってもよい。すなわち、必ずしもシャッターＶが備えられなくてもよい。開口面積Ｓが一定の第２吸引口２２ｂ１が備えられる場合であっても、第１吸引口２２ａ１における空気の吸引量を大きくすることなく、吸引容器２２内へ吸引される空気の総量を大きくすることができる。第２吸引口２２ｂ１における空気の吸引量は、照射部Ｈにおける光の照射強度Ｉのみに応じて調整されてもよいし、ペーパーギャップＰＧのみに応じて調整されてもよい。
【００４２】
前記実施形態ではプリンター１がインクを吐出させる例を示したが、光硬化性の液体であればよく、インク以外の液体を吐出させてもよい。さらに、液体は、ピエゾ素子の機械変化による加圧によって吐出されてもよいし、気泡の発生による加圧によって吐出されてもよい。さらに、被記録媒体は、印刷用紙に限らず、布や樹脂製のフィルム等であってもよい。また、被記録媒体はドラムの側面上に保持されるものに限らず、平面上のプラテン上に保持されてもよい。さらに、吐出ヘッドは複数備えられなくてもよく、単一の吐出ヘッドに対して単一または複数の吸引容器を備えさせてもよい。
【符号の説明】
【００４３】
１…プリンター、１３…吐出ヘッド、１３ａ…ノズル面、１３ｂ…垂直壁面、１４…制御基板、１４ａ…吐出ヘッド制御回路、１４ｂ…ギャップ調整回路、１４ｃ…照射制御回路、１４ｄ…吸引量制御回路、２２…吸引容器、２２ａ…吸引部、２２ａ１…第１吸引口、２２ｂ…本体部、２２ｂ１…第２吸引口、２２ｃ…導出部、２３…捕集容器、２３ａ…捕集壁、２３ｂ…貯留部、２４…吸引ファン、Ｆ…ヒートシンク、Ｈ…照射部、Ｐ…制御プログラム、Ｐ１…印刷制御部、Ｐ２…調整部、Ｔ…アクチュエーター、Ｖ…シャッター。
【図１】
0005957967.tif 000002
【図２】
0005957967.tif 000003
【図３】
0005957967.tif 000004
【図４】
0005957967.tif 000005